(57)【要約】      （修正有）【課題】ネックレスなどに着脱可能に取り付けて、首の後ろなど目に見えないところで簡単に環状につなげることができ、引張力が作用しても外れにくい留め具アタッチメントを提供する。【解決手段】ネックレスの両端側に形成されたリング部に着脱可能に装着され、両端部同士を環状につなげる一対の連結具２Ｍ、２Ｆからなる留め具アタッチメント１であり、一方の連結具２Ｍには、ベースプレート７Ｍに球状嵌合突起８Ｍを形成した雄ホック４Ｍに開閉式フック５Ｍが連結され、他方の連結具２Ｆには、雄ホック４Ｍをネックレスの長手方向に対して直交する方向に押し込んで着脱可能に係合させる嵌合孔８Ｆが形成した雌ホック４Ｆに開閉式フック５Ｆが連結されて成る。【選択図】図１
0003200946.tif 000002
【実用新案登録請求の範囲】
【請求項１】
装身用長尺アクセサリの両端側に形成されたリング部に着脱可能に装着され、当該アクセサリの両端部同士を環状につなげる一対の連結具からなる留め具アタッチメントであって、
一方の連結具は、ベースプレートに球状嵌合突起を形成したハトメカンの雄ホックに、前記長尺アクセサリの一端側のリング部に掛け止められる開閉式フックが連結され、
他方の連結具は、前記嵌合突起を長尺アクセサリの長手方向に対して直交する方向に押し込んで着脱可能に係合させる嵌合孔が形成されたハトメカンの雌ホックに、前記長尺アクセサリの他端側のリング部に掛け止められる開閉式フックが連結されたことを特徴とする留め具アタッチメント。
【請求項２】
前記開閉式フックが、引輪又はカニカンである請求項１記載の留め具アタッチメント。
【請求項３】
前記雄ホック及び雌ホックと、前記開閉式フックが丸環を介して連結されて成る請求項１又は２記載の留め具アタッチメント。
【考案の詳細な説明】
【技術分野】
【０００１】
本考案は、装身用長尺アクセサリの両端部に着脱可能に装着され、当該アクセサリの両端部同士を環状につなげる留め具アタッチメントに関する。
【背景技術】
【０００２】
図３は、装身用長尺アクセサリとしての従来一般のネックレス３１を示すもので、チャーム部３２の両端に左右のチェーン３３Ｒ及び３３Ｌが連結され、各チェーン３３Ｒ及び３３Ｌの先端には、その先端部同士を着脱可能につなぐ留め具３４が取り付けられている。
【０００３】
留め具３４は、例えば、右側（図３で見て向かって左側）のチェーン３３Ｒの先端に開閉式フックであるカニカン３５が取り付けられ、左側（図３で見て向かって右側）のチェーン３３Ｌの先端に長さ調整用のアジャスタチェーン３６が取り付けられている。
【０００４】
このネックレス３１を首に装着するときは、右手でカニカン３５を持ち、左手でアジャスタチェーン３６の任意のチェーンリングを持って、両手を首の後ろに回し、カニカン３５のノブ３５ａを右手の指先でスライドさせてフック３５ｂのロック３５ｃを開きながら、左手で持ったアジャスタチェーン３６のチェーンリングに掛け止めることにより、ネックレス３１を環状につなげることができる。
【０００５】
しかしながら、この種のアクセサリ用の留め具３４は非常に小さく作られており、首の後ろの目に見えないところではカニカン３５のノブ３５ａを操作しにくく、留め具３４を顔の前に回して見ながら操作しようとしても、通常の長さのネックレス３１では短過ぎて留め具３４が顎の下に入ってしまい、視認することができない。
【０００６】
また、首の後ろでカニカン３５のロック３５ｃを開くことができたとしても、アジャスタチェーン３６の各チェーンリングも小さいので、フック３５ｂをチェーンリングに引っ掛けることは困難であった。
このため、最近では、マグネットを用いた留め具（クラスプ）が提案され、これを用いた留め具アタッチメントも市販されている。
【０００７】
図４は従来の留め具アタッチメント４１を示す説明図で、図３と重複する部分は同一符号を付して詳細説明を省略する。
留め具アタッチメント４１は、両端に留め具３４が取り付けられた既存のネックレス３１に着脱可能に取り付けて使用する左右一対の連結具４２Ｒ及び４２Ｌからなり、各連結具４２Ｒ及び４２Ｌ同士が、互いに吸着し合う方向に強力磁石４３Ｒ及び４３Ｌを内蔵したマグネチッククラスプ４４Ｒ及び４４Ｌで係脱されるようになっている。
【０００８】
また、一方の連結具４２Ｒのマグネチッククラスプ４４Ｒには板ダルマ４５が連結され、他方の連結部４２Ｌのマグネチッククラスプ４４Ｌには開閉式フックである引輪４６が連結されて成る。
【０００９】
この留め具アタッチメント４１を使用する際は、一方の連結具４２Ｒの板ダルマ４５をネックレス３１の右側チェーン３３Ｒの先端に取り付けられたカニカン３５に掛け止め、また、他方の連結具４２Ｌの引き輪４６をネックレス３１の左側チェーン３３Ｌの先端に取り付けられたアジャスタチェーン３６の任意のチェーンリンクに掛け止めておく。
このとき、カニカン３５のノブ３５ａをスライドさせてロック３５ｃを開いたり、引輪４６のノブ４６ａをスライドさせてＣリング４６ｂのロック４６ｃを開く必要があるが、いずれも、目で視認しながら作業することができるので、比較的容易に装着できる。
【００１０】
この留め具アタッチメント４１を取り付けたネックレス３１を首に装着するときは、左右のチェーン３３Ｒ及び３３Ｌの先端付近を左右の手で持ち、両手を首の後ろに回して近づけるだけで、左右のクラスプ４４Ｒ及び４４Ｌ同士が、内蔵された強力磁石４３Ｒ及び４３Ｌの磁力により磁着するので、簡単に、ネックレス３１を環状につなげることができる。
【００１１】
しかしながら、マグネチッククラスプ４４Ｒ及び４４Ｌに内蔵された強力磁石４３Ｒ及び４３Ｌは、その磁力が強いため、身近にある鉄系金属など強磁性材料が含まれたものにもくっつきやすく、取り扱いが却って不便な面もある。
また、強力磁石４３Ｒ及び４３Ｌを用いてはいるものの、コートを脱ぎ着するときなどにそのコートの一部がネックレス３１に引っ掛かるなどして、ネックレス３１の長手方向に大きな引張力が作用すると、クラスプ４４Ｒ及び４４Ｌが外れてしまう恐れがあった。
【００１２】
さらに、従来の留め具アタッチメント４１は、一方の連結具４２Ｒにネックレス３１のカニカン３５に引っ掛ける板ダルマ４５が連結され、他方の連結具４２Ｌには引輪４６が設けられているので、ネックレス３１の両端に留め具３４が予め取り付けられていなければ使用することができなかった。
【００１３】
例えば、アクセサリーパーツ店ではチェーンリングを連ねたアクセサリーチェーンを１０ｃｍ単位で購入することができるが、そのままでは両端に留め具３４が取り付けられていない。
このため、引輪４６を備えた一方の連結具４２Ｌはアクセサリーチェーンン端部のチェーンリングに取り付けることができるが、板ダルマ４５を備えた他方の連結具４２Ｒを取り付けることができない。
【００１４】
また、誤って連結具４２Ｌの引輪４６をネックレス３１のカニカン３５に掛け止めて連結具４２Ｌを先に右チェーン３３Ｒに掛け止めてしまった場合、次に、連結具４２Ｒの板ダルマ４５をアジャスタチェーン３６に掛け止めようとしたときに、掛け止めることができないことに気付くが、この場合、先に取り付けた連結具４２Ｌを一旦ネックレス３１から取り外して、再度付け直さなければならないという面倒がある。
【考案の概要】
【考案が解決しようとする課題】
【００１５】
そこで本考案は、既存のネックレスや留め具のないアクセサリーチェーンなどの両端部に着脱可能に装着して、首の後ろなど目に見えないところで開閉式フックを操作することなく簡単に環状につなげることができ、長尺アクセサリの長手方向に引張力が作用しても外れにくい留め具アッタチメントを提供することを技術的課題としている。
【課題を解決するための手段】
【００１６】
この課題を解決するために、本考案は、装身用長尺アクセサリの両端側に形成されたリング部に着脱可能に装着され、当該アクセサリの両端部同士を環状につなげる一対の連結具からなる留め具アタッチメントであって、
一方の連結具は、ベースプレートに球状嵌合突起を形成したハトメカンの雄ホックに、前記長尺アクセサリの一端側のリング部に掛け止められる開閉式フックが連結され、
他方の連結具は、前記嵌合突起を長尺アクセサリの長手方向に対して直交する方向に押し込んで着脱可能に係合させる嵌合孔が形成されたハトメカンの雌ホックに、前記長尺アクセサリの他端側のリング部に掛け止められる開閉式フックが連結されたことを特徴とする。
【考案の効果】
【００１７】
本考案の留め具アタッチメントは、一対の連結具の双方に引輪などの開閉式フックが連結されているので、長尺アクセサリの両端にチェーンリングや連結リングなどのリング部が形成されていれば、留め具が取り付けられていなくても、開閉式フックを長尺アクセサリ両端のリング部に着脱可能に装着することができる。
【００１８】
また、各連結具は、ハトメカンの雄ホック及び雌ホックで連結可能に形成されているので、この雄ホックと雌ホックを両手に持って首の後ろに手を回し、雄ホックの球状嵌合突起を雌ホックの嵌合孔に押し込むだけで両者が簡単に係合され、長尺アクセサリを環状につなげることができる。
【００１９】
このとき、雄ホックは長尺アクセサリの長手方向に対して直交する方向に押し込むことにより雌ホックと係合されるので、マグネットを利用したクラスプのように他のものに磁着されることによる面倒がなく、また、長尺アクセサリの長手方向に引張力が作用しても、雄ホックと雌ホックはこれと直交する方向に係合されているので外れにくい。
【図面の簡単な説明】
【００２０】
【図１】本考案に係る留め具アタッチメントの一例を示す説明図。
【図２】ネックレスに装着した状態を示す説明図。
【図３】一般のネックレスを示す説明図。
【図４】従来の留め具アタッチメントを示す説明図。
【考案を実施するための形態】
【００２１】
本例では、既存のネックレスなどの両端部に装着して、首の後ろなど目に見えないところで開閉式フックを操作することなく簡単に環状につなげることができ、長尺アクセサリの長手方向に引張力が作用しても外れにくくするというという目的を達成するため、以下の構成を有する。
すなわち、装身用長尺アクセサリの両端側に形成されたリング部に着脱可能に装着され、当該アクセサリの両端部同士を環状につなげる一対の連結具からなる留め具アタッチメントであって、
一方の連結具は、ベースプレートに球状嵌合突起を形成したハトメカンの雄ホックに、前記長尺アクセサリの一端側のリング部に掛け止められる開閉式フックを連結して成り、
他方の連結具は、前記嵌合突起を長尺アクセサリの長手方向に対して直交する方向に押し込んで着脱可能に係合させる嵌合孔が形成されたハトメカンの雌ホックに、前記長尺アクセサリの他端側のリング部に掛け止められる開閉式フックを連結して成る。
【実施例１】
【００２２】
図１（ａ）及び（ｂ）は、本考案に係る留め具アタッチメントの離脱状態及び係合状態を示す斜視図、図２（ａ）及び（ｂ）は、長尺アクセサリであるネックレスに装着された本考案に係る留め具アタッチメントの離脱状態及び係合状態を示す説明図である。
なお、図３と共通する部分は同一符号を付して詳細説明を省略する。
【００２３】
留め具アタッチメント１は、装身用長尺アクセサリとしてのネックレス３１の両端部に着脱可能に装着される一対の連結具２Ｍ及び２Ｆを備え、これら各連結具２Ｍ及び２Ｆ同士を係合させることにより、ネックレス３１の両端部同士を環状につなげることができる。
【００２４】
一方の連結具２Ｍは、ハトメカン３の雄ホック４Ｍに開閉式フックとしての引輪５Ｍが丸環６Ｍを介して連結され、前記引輪５Ｍをネックレス３１のアジャスタチェーン３６のチェーンリング（リング部）に掛け止めることができるようになっている。
雄ホック４Ｍは、ベースプレート７Ｍの一端側に球状嵌合突起８Ｍが形成され、他端側に丸環６Ｍを連結する連結孔９Ｍが形成されている。
【００２５】
他方の連結具２Ｆは、ハトメカン３の雌ホック４Ｆに開閉式フックとしての引輪５Ｆが丸環６Ｆを介して連結され、前記引輪５Ｆをネックレス３１の他端側に取り付けられたカニカン（リング部）３５に掛け止められることができるようになっている。
雌ホック４Ｆは、中央に、雄ホック４Ｍの嵌合突起８Ｍをネックレス３１の長手方向Ｘに対して直交する方向Ｙに押し込んで着脱可能に係合させる嵌合孔８Ｆが形成されたリングプレート７Ｆを備え、その外周部に丸環６Ｆを連結するリング９Ｍが溶接されている。
【００２６】
なお、ハトメカン３の球状嵌合突起８Ｍの外径及び嵌合孔８Ｆの内径は、嵌合突起８Ｍを強く押し込んだときに時にその最大径部分が嵌合孔８Ｆを通過するように設計されている。
これにより、雌雄のホック４Ｍ及び４Ｆは、嵌合突起８Ｍを嵌合孔８Ｆに合わせてベースプレート７Ｍを強く押し込んだときに係合され、係合状態で嵌合突起８Ｍの頭をベースプレート７Ｍ側に押し込むことにより嵌合孔８Ｆから抜脱されて係合解除される。
【００２７】
また、各引輪５Ｍ及び５Ｆは、Ｃリング１１の開口部に、ノブ１２をスライドさせることにより開閉するロック１３が形成されており、Ｃリング１１の外周面に丸環６Ｍ及び６Ｆを連結するリング１４が溶接されている。
【００２８】
以上が本考案の一構成例であって、次にその作用について説明する。
図２（ａ）に示すように、ネックレス３１の右チェーン３３Ｒの先端にカニカン３５が取り付けられ、左チェーン３３Ｌの先端にアジャスタチェーン３６が取り付けられている場合に、連結具２Ｍ及び２Ｆのいずれか一方をカニカン３５に連結し、他方をアジャスタチェーン３６に連結する。
本例では、雌ホック４Ｆを備えた連結具２Ｆをカニカン３５に連結し、雄ホック４Ｍを備えた連結具２Ｍをアジャスタチェーン３６に連結する。
【００２９】
連結具２Ｆを右チェーン３３Ｒへ取り付ける際は、カニカン３５のノブ３５ａをスライドさせてロック３５ｃを開き、あるいは、引輪５Ｆのノブ１２をスライドさせてロック１３を開き、両者を掛け止めることにより行う。
また、連結具２Ｍを左チェーン３３Ｌへ取り付ける際は、引輪５Ｍのノブ１２をスライドさせてロック１３を開き、アジャスタチェーン３６の任意のチェーンリングに掛け止めることにより行う。
【００３０】
連結具２Ｍ及び２Ｆをネックレス３１に取り付ける際は、ネックレス３１を首に装着せず、目の前で視認しながら行うことができるので、比較的細かな作業でも困難性はない。
また、留め具アタッチメント１の各連結具２Ｍ及び２Ｆは双方に開閉式フックの引輪２Ｍ及び２Ｆが取り付けられているので、ネックレス３１に留め具３４が取り付けられていなくでも、両端にリング部が形成されていれば、左右の別なく取り付けることができる。
さらに、一つの留め具アタッチメント１を付け替えて使用することにより、他のネックレスにも使い回しすることができ、リング部が形成されていれば留め具のないチェーンなどにも取り付けることができるので、非常に便利である。
【００３１】
このようにして連結具２Ｍ及び2Ｆを取り付けたネックレス３１を首に装着するときは、ネックレス３１の両端の連結具２Ｍ及び２Ｆの雄ホック４Ｍ及び雌ホック４Ｆを左右の指で摘まんだまま、両手を首の後ろに回し、嵌合突起８Ｍを嵌合孔８Ｆに合わせて強く押し込むだけで両者が簡単に係合され、ネックレス３１を環状につなげることができる。
【００３２】
このとき、雄ホック４Ｍは、ネックレス３１の長手方向Ｘに対して直交する方向Ｙに押し込まれて雌ホック４Ｆと係合するので、マグネットクラスプのように他物に磁着されることによる面倒がなく、また、ネックレス３１の長手方向Ｘに引張力が作用しても、雄ホック４Ｍと雌ホック４Ｆはこれと直交する方向Ｙに係合されているので外れにくい。
【００３３】
なお、上述した説明では、開閉式フックとして引輪５Ｍを用いた場合について説明したが、カニカンを用いてもよい。
また、装身用長尺アクセサリとしてネックレスの両端に取り付けた場合について説明したが、これ以外に、ブレスレットなどに用いることもできる。
【産業上の利用可能性】
【００３４】
本考案は、ネックレスなどの装身用長尺アクセサリの両端に着脱可能に取り付けられ、そのネックレスを環状につなぐ留め具アタッチメントの用途に適用し得る。
【符号の説明】
【００３５】
１    留め具アタッチメント
２Ｍ  ２Ｆ  連結具
３    ハトメカン
４Ｍ  雄ホック
４Ｆ  雌ホック
５Ｍ  引輪  
５Ｆ  引輪
８Ｍ  球状嵌合突起
８Ｆ  嵌合孔
【図１】
0003200946.tif 000003
【図２】
0003200946.tif 000004
【図３】
0003200946.tif 000005
【図４】
0003200946.tif 000006